(57)【要約】【課題】従来、テレビジョンカメラの定期点検及び保守点検作業時には、前記テレビジョンカメラに通常時接続されているケーブルを一旦抜いて監視室側の制御を無効にしてからでないと、前記テレビジョンカメラ背面に設備されている動作確認及び調整用押しボタンスイッチ操作が有効にならなかった。本発明の目的は、前述の通常時接続されているケーブルを外すことなく、定期点検及び保守点検作業を可能とするように構成したテレビジョンカメラを提供することにある。【解決手段】本発明は上記の目的を達成するため、前記テレビジョンカメラに通常接続されているケーブルを外すことなく、前記テレビジョンカメラ背面の保守用映像出力端子に手持ち用モニタ等を接続するだけで、前述の動作確認及び調整用押しボタンスイッチ操作が有効となるように構成したものである。【選択図】図１
2004112206.tif 000002
【特許請求の範囲】
【請求項１】
産業用監視システムに使用するテレビジョンカメラであって、保守用映像信号出力端子と、前記テレビジョンカメラの背面等に保守作業時に使用する複数の調整項目等を選択する選択手段を有したテレビジョンカメラにおいて、前記保守用映像信号出力端子にビデオ機器等を接続することにより、前記選択手段の操作を有効とすることを特徴とするテレビジョンカメラ。
【請求項２】
請求項１の前記保守用映像信号出力端子に接続するビデオ機器が、７５Ωの入力インピーダンスを有したビデオ機器であることを特徴とするテレビジョンカメラ。
【請求項３】
産業用監視システムに使用するテレビジョンカメラであって、保守用映像信号出力端子と、前記テレビジョンカメラの背面等に保守作業時に使用する複数の調整項目等を選択する選択手段を有したテレビジョンカメラにおいて、該テレビジョンカメラのカメラ部の制御を外部からの制御信号からか、前記背面等に設備する選択手段からかを選択し切り替える手段を有し、前記背面等に設備する複数の選択手段を有効とする切り替え手段として、前記保守用映像信号出力端子に７５Ωの入力インピーダンスを有したビデオ機器を接続することを切り替え手段とすることを特徴とするテレビジョンカメラ。
【発明の詳細な説明】
【０００１】
【発明の属する技術分野】
本発明は、主に監視用として、ハウジングに収容されるなどして屋外にて使用される産業用テレビジョンカメラの保守点検作業の改善に関するものである。
【０００２】
【従来の技術】
従来の主に監視用として、ハウジングに収容されるなどして屋外にて使用されるテレビジョンカメラに係わり、特に、設置環境の諸事情により、定期点検、または保守点検作業の発生の頻度が比較的多いような場合に使用するのに好適なテレビジョンカメラを使用した監視システムにおいて、前記テレビジョンカメラを制御するために離れた場所に設置される監視用制御装置との接続で同軸ケーブルが使用される。該同軸ケーブルに映像信号と制御信号を多重して信号授受する多重制御機能を備えたテレビジョンカメラを使用する場合と、前記映像信号と制御信号を別々のケーブルで接続するテレビジョンカメラを使用する場合とがある。
【０００３】
以下に、図２を使って従来技術を説明する。図２は前述の同軸ケーブルに映像信号と制御信号を多重して信号授受する多重制御機能を備えたテレビジョンカメラの外観図を示したもので、図２（ａ）は側面図で、図２（ｂ）は背面図である。１はテレビジョンカメラで、２は該テレビジョンカメラで撮像した映像信号の出力端子で、３は前記テレビジョンカメラの動作確認及び調整用押しボタンスイッチで、４は映像確認のための保守用映像信号出力端子である。
前記テレビジョンカメラの定期点検及び保守点検作業時に、作業者が前記テレビジョンカメラの設置場所まで行き、該テレビジョンカメラ背面に設備されている保守用映像信号端子４に図示しない手持ち用映像モニタ等を接続し、動作確認及び調整用押しボタンスイッチ３による確認及び調整操作を行おうとする場合、一旦、監視室側に設置されている監視用制御装置への映像信号出力端子２から接続されている同軸ケーブルを抜いて、監視室側への映像信号及び重畳されている制御信号を断の状態にしなければ、前記テレビジョンカメラの背面に設備されている動作確認及び調整用押しボタンスイッチ３の操作が有効にならなかった（文献公知発明に係るものではない。）。
【０００４】
また、前述の映像信号と制御信号を別々のケーブルで接続するテレビジョンカメラにおいても同様に、一旦、監視室側に設置されている監視用制御装置からの図示しない制御信号端子から接続されているケーブルを抜いて、監視室側からの制御信号を断の状態にしなければ、前記テレビジョンカメラの背面に設備されている動作確認及び調整用押しボタンスイッチ３の操作が有効にならなかった（文献公知発明に係るものではない。）。
【０００５】
なお、動作確認及び調整用押しボタンスイッチ３の操作について説明する。
まず、作業者は映像信号出力端子２から接続されている同軸ケーブルを抜いて、監視室側への映像信号及び重畳されている制御信号を断の状態にし、動作確認及び調整用押しボタンスイッチ３の操作を有効にする。次に、保守用映像信号端子４に図示しない手持ちモニタを同軸ケーブルで接続し、動作確認及び調整用押しボタンスイッチ３のメニューボタン（ＭＥＮＵ）を押下して、保守用映像信号端子４に接続した図示しない手持ちモニタに動作確認する項目や調整する項目を表示し、作業者が選択し、確認又は調整を実施する。
【０００６】
該確認又は調整とは例えば、前記テレビジョンカメラの撮像素子の蓄積感度向上調整や、バックライトの明るさ調整や、逆光補正モードの調整や、増幅器のゲイン調整や、ノイズ軽減モードの調整や、カラーバー（ＢＡＲ）表示による確認や、オートホワイトバランス（ＡＷＢ）確認や、オートブラックバランス（ＡＢＢ）確認などの調整や確認がある。
【０００７】
【発明が解決しようとする課題】
前述の従来技術では、テレビジョンカメラの定期点検及び保守点検作業時には、前記テレビジョンカメラに通常時接続されているケーブルを一旦抜いて監視室側の制御を無効にしてからでないと、前記テレビジョンカメラ背面に設備されている動作確認及び調整用押しボタンスイッチ操作が有効にならなかった。本発明の目的は、前述の通常時接続されているケーブルを外すことなく、定期点検及び保守点検作業を可能とするように構成したテレビジョンカメラを提供することにある。
【０００８】
【課題を解決するための手段】
本発明は上記の目的を達成するため、前記テレビジョンカメラに通常接続されているケーブルを外すことなく、前記テレビジョンカメラ背面の保守用映像出力端子に手持ち用モニタ等を接続するだけで、前述の動作確認及び調整用押しボタンスイッチ操作が有効となるように構成したものである。
【０００９】
【発明の実施の形態】
本発明のテレビジョンカメラは、屋外用ハウジングに収納、電動雲台に搭載され、屋外監視システムの一部として用いられるものである。
図１に本発明の一実施例のテレビジョンカメラのブロック図を示す。
また、該テレビジョンカメラの外観図は従来技術で説明した図２と同じである。
【００１０】
図１において、１はテレビジョンカメラ、２は該テレビジョンカメラ１の複合映像信号出力端子、３は背面パネルに設備されている動作確認及び調整用押しボタンスイッチ、４は映像確認のための保守用映像信号出力端子、５は手持ちモニタ等の保守用ビデオモニタ、１１はカメラ部、１２は前記テレビジョンカメラを制御するために離れた場所に設置される監視用制御装置、１３は前記監視用制御装置から前記複合映像信号にＦＭ変調して重畳されてくるカメラ制御信号を復調するＦＭ復調回路、１４は前記ＦＭ復調回路から出力されるカメラ制御シリアルデータを、一方の入力がＨレベルのとき通過させるＡＮＤゲート回路、１５は前記ＡＮＤゲート回路１４の出力であるカメラ制御シリアルデータを受取りカメラ部１１を制御するためのカメラ制御用マイクロコンピュータ、１６はカメラ部１１の出力である複合映像信号に直流電圧成分を混合させるための直流成分混合回路、１７はカメラ部１１の出力である複合映像信号を増幅する増幅器、１８、１９は増幅器１７の出力を後段回路に伝達するための抵抗器ＲＡ、ＲＢ、２０は増幅器１７の出力信号の直流電圧成分と比較するための基準電圧源ＶＲ、２１は基準電圧源ＶＲと前記増幅器１７の出力を抵抗器ＲＡ１８と抵抗器ＲＢ１９を介して入力された電圧を比較する比較器、２２は比較器２１の出力であるＨレベル又はＬレベルの論理信号を反転するためのインバータ回路、２３は動作確認及び調整用押しボタンスイッチ３からのスイッチ情報をシリアルデータに変換するためのシリアル変換回路である。
【００１１】
次に、監視システムのテレビジョンカメラ１の定期点検作業、保守点検作業、事故発生時等に行う動作確認作業等の作業者の作業の流れを説明する。
本発明のテレビジョンカメラ１を監視システムに使用して、通常稼動をしているときには、映像信号出力端子２は、前記テレビジョンカメラ１の設置場所から、例えば、数百メートル離れた監視室にある監視用制御装置１２に、７５Ω系同軸ケーブルによって接続されている。一方、保守用映像信号出力端子４は使用しておらず、通常開放状態である。この状態で、監視システムのテレビジョンカメラ１の定期点検作業、保守点検作業、事故発生時等に行う動作確認作業等を作業者（サービスマン）が、テレビジョンカメラ１が設置されている場所まで小型の手持ちモニタ等の保守用ビデオモニタ５を持参し、前記テレビジョンカメラ１背面の保守用映像信号出力端子４に７５Ω系同軸ケーブルで接続して、前記保守用ビデオモニタ５に表示される映像を観察しながら前記テレビジョンカメラ１単体での画質調整、設定変更や動作確認等を背面パネルの押しボタンスイッチ３を使って行う。
【００１２】
次に、具体的な動作を説明する。
前記テレビジョンカメラ１背面の保守用映像信号出力端子４に何も接続しない通常解放の状態では、増幅器１７の出力は論理レベルの高電位であるＨレベルが抵抗器ＲＡ１８と抵抗器ＲＢ１９を介して、比較器２１の片方の入力に印加される。比較器２１のもう片方の入力に基準電圧源ＶＲ２０を論理レベルのＨレベルとＬレベルの間の所定の電圧に設定しておくことで、前者の入力レベルが後者の入力レベルよりも大きいため比較器２１の出力がＨレベルとなる。故にＡＮＤゲート回路１４がイネーブルとなり、前記ＦＭ復調回路１３の出力である遠隔に設置されている監視用制御装置から映像信号ラインにＦＭ変調されて重畳されてくるカメラ制御シリアルデータがカメラ制御用マイクロコンピュータ１５に入力され、カメラ部１１が遠隔制御される。
【００１３】
一方、保守作業時に前述のように保守用映像信号出力端子４に保守用ビデオモニタ５を接続すると、該ビデオモニタの入力回路には接地電位との間に入力インピーダンスとして抵抗器ＲＡ１８と同じ７５Ωの抵抗器が接続されているため、増幅器１７の出力段の抵抗器ＲＡ１８と抵抗器ＲＢ１９の接続点の電位は前記論理レベルの高電位であるＨレベルから前記基準電圧源ＶＲ２０の電位より低下する。すると比較器２１の比較状態が変わり、出力は前述のＨレベルからＬレベルに低下し、前述のＡＮＤゲート回路１４は前述のイネーブル状態からディスイネーブル状態となる。
【００１４】
一方代わって、比較器２１の出力レベルがＬレベルになることで、インバータ回路２２の出力に接続されているもう一つのＡＮＤゲート回路１４が今度はイネーブル状態となり、背面パネルに設備されている動作確認及び調整用押しボタンスイッチ３のスイッチ情報がシリアル変換回路２３を介してＡＮＤゲート回路１４を通過してカメラ制御シリアルデータとしてカメラ制御用マイクロコンピュータ１５に入力される。したがって、カメラ部１１の制御を背面の押しボタンスイッチ３の操作で行うことができるようになる。
【００１５】
なお、以上は同軸ケーブルに映像信号と制御信号を多重して信号授受する多重制御機能を備えたテレビジョンカメラを使用した場合で説明したが、映像信号と制御信号を別々のケーブルで接続するテレビジョンカメラを使用した場合でも同様に実現できることは言うまでもない。
【００１６】
【発明の効果】
本発明によれば、既設の接続ケーブルを外すことなく、テレビジョンカメラの設置工事、定期点検、保守点検、事故対策等の作業を行えるので作業性が向上する。また、既設のケーブルを外さないため、保守作業終了後に外したケーブルを復旧もれしたりして二次事故を招くこともない。既設のケーブルを外さないため、更に保守作業の進捗状況を遠隔にある監視室でも調整メニューや確認メニューや調整結果での映像信号をビデオモニタでみることができるので、例えば、監視室から別の通信手段を使って作業者に作業のアドバイス等をすることも可能となり、保守作業性に優れた監視システムを構築するために有益なテレビジョンカメラを提供することができる。
【図面の簡単な説明】
【図１】本発明の一実施例であるテレビジョンカメラのブロック図
【図２】従来及び本発明の一実施例のテレビジョンカメラ外観図
【符号の説明】
１：テレビジョンカメラ、２：複合映像信号出力端子、３：動作確認及び調整用押しボタンスイッチ、４：保守用映像信号出力端子、５：手持ち用モニタ等保守用ビデオモニタ、１１：カメラ部、１２：監視用制御装置、１３：ＦＭ復調回路、１４：ＡＮＤゲート回路、１５：カメラ制御用マイクロコンピュータ、１６：カメラ部１１の出力である複合映像信号に直流電圧成分を混合させるための直流成分混合回路、１７：増幅器、１８：抵抗器ＲＡ、１９：抵抗器ＲＢ、２０：基準電圧源ＶＲ、２１：比較器、２２：インバータ回路、２３：シリアル変換回路
【図１】
2004112206.tif 000003
【図２】
2004112206.tif 000004